【手続補正書】
【提出日】平成22年3月23日(2010.3.23)
【手続補正１】
【補正対象書類名】特許請求の範囲
【補正対象項目名】全文
【補正方法】変更
【補正の内容】
【特許請求の範囲】
【請求項１】
ポリエステルを金属化する方法であって、
前記ポリエステルを、アルカリ溶液で処理し、第一級アミン、第二級アミン、チオール、スルフィド及びオレフィンからなる群から選択される、少なくとも１つの官能基を有する、少なくとも１つの化合物で処理し、前記化合物を架橋し、
処理された前記ポリエステルを、銀塩、銅塩及びニッケル塩からなる群から選択される少なくとも１つの金属塩と、少なくとも１つの錯化剤と、を含む溶液で処理し、
少なくとも１つの還元剤で処理する方法。
【請求項２】
前記アルカリ溶液が、水酸化ナトリウム及び水酸化カリウム及びそれらの混合物からなる群から選択される少なくとも１つの塩基を含んでなる、水溶液若しくはアルコール溶液である、請求項１記載の方法。
【請求項３】
第一級アミン、第二級アミン、チオール、スルフィド及びオレフィンからなる群から選択される、少なくとも１つの官能基を有する、少なくとも１つの前記化合物が、次式の化合物
（Ｒ１Ｏ）ｘＭＲ４−ｘ    （Ｉ）
であり、
式中、Ｒ１が１〜２０個の炭素原子を有する、好ましくは１〜１０個の炭素原子を有する、より好ましくは１〜８個の炭素原子を有する、更に好ましくは１個又は２個の炭素原子を有する分岐鎖状又は直鎖状アルキル基であって、
ｘが１〜３の数、好ましくは３であり、
ＭがＳｉ、Ｔｉ又はＳｎであり、
ＲがＣＨ２ＣＨ２ＣＨ２ＮＨ２、ＣＨ２ＣＨ２ＣＨ２ＳＨ、ＣＨ＝ＣＨ２、（ＣＨ２）ｐＮＨ（ＣＨ２）ｎＮＨ（ＣＨ２）ｌＮＨ２及び（ＣＨ２）ｎＮＨｍ［（ＣＨ２）ｌＮＨ２］ｋからなる群から選択され、
ｐが１〜７の整数、好ましくは２又は３であり、
ｎが１〜７の整数、好ましくは２又は３であり、
ｋが２である場合、ｍが０であり、
ｋが１である場合、ｍが１であり、
ｌが１〜７の整数、好ましくは２又は３である、請求項１記載の方法。
【請求項４】
前記化合物を、第一級アミン、第二級アミン、チオール及びスルフィドからなる群から選択される、少なくとも１つの官能基を有する、少なくとも１つの化合物で処理し、前記化合物を架橋する工程が、
アルカリ溶液で処理されたポリエステルを、少なくとも１つの式（Ｉ）の化合物
（Ｒ１Ｏ）ｘＭＲ４−ｘ    （Ｉ）
（式中、各Ｒ及びＲ１が、各々独立に１〜２０個の炭素原子を有する、好ましくは１〜１０個の炭素原子を有する、より好ましくは１〜８個の炭素原子を有する、更に好ましくは１個又は２個の炭素原子を有する分岐鎖状若しくは直鎖状アルキル基であって、
ｘが１〜４であり、ＭがＳｉ、Ｔｉ又はＳｎである）
と接触させるステップと、
任意に、第１の縮合ステップと、
少なくとも１つの式（Ｉ）の化合物
（式中、Ｒ１が１〜２０個の炭素原子を有する、好ましくは１〜１０個の炭素原子を有する、より好ましくは１〜８個の炭素原子を有する、更に好ましくは１個又は２個の炭素原子を有する分岐鎖状若しくは直鎖状アルキル基であって、
ｘが１〜３、好ましくは３であり、
ＭがＳｉ、Ｔｉ又はＳｎであり、
ＲがＣＨ２ＣＨ２ＣＨ２ＮＨ２、ＣＨ２ＣＨ２ＣＨ２ＳＨ、ＣＨ＝ＣＨ２、（ＣＨ２）ｐＮＨ（ＣＨ２）ｎＮＨ（ＣＨ２）ｌＮＨ２及び（ＣＨ２）ｎＮＨｍ［（ＣＨ２）ｌＮＨ２］ｋからなる群から選択され、
ｐが１〜７の整数、好ましくは２又は３であり、
ｎが１〜７の整数、好ましくは２又は３であり、
ｋが２である場合、ｍが０であり、
ｋが１である場合、ｍが１であり、
ｌが１〜７の整数、好ましくは２又は３である）
と接触させるステップと、
第２の縮合ステップと、を有してなる、請求項１記載の方法。
【請求項５】
第一級アミン、第二級アミン、チオール、スルフィド及びオレフィンからなる群から選択される、少なくとも１つの官能基を有する、前記少なくとも１つの化合物が、次式の化合物
Ｒ２ＮＨＲ３    （ＩＩ）
（式中、Ｒ２がＨ２Ｎ（ＣＨ２）ｗ、Ｒ４３Ｓｉ（ＣＨ２）ｗ及びＨ２ＮＣ６Ｈ４からなる群から選択され、
Ｒ３が［（ＣＨ２）ｘＮＨ］ｙ（ＣＨ２）ｚＮＨ２、Ｒ４３Ｓｉ（ＣＨ２）ｙ及びＨ２ＮＣ６Ｈ４ＮＨ（ＣＨ２）ｙ、からなる群から選択され、
ｗが１〜７の整数、好ましくは２又は３であり、
ｘが１〜７の整数、好ましくは２又は３であり、
ｙが０又は１〜７の整数、好ましくは０、１又は２であり、
ｚが１〜７の整数、好ましくは２又は３であり、
Ｒ４が１〜１０個の炭素原子を有する、好ましくは１〜８個の炭素原子を有する、より好ましくは１個又は２個の炭素原子を有する、分岐鎖状若しくは直鎖状アルキル基又は−Ｏ−アルキル基である）
である、請求項１記載の方法。
【請求項６】
第一級アミン、第二級アミン、チオール、スルフィド及びオレフィンからなる群から選択される、少なくとも１つの官能基を有する、前記少なくとも１つの化合物が、ビス（３−アミノプロピル）アミン、Ｎ，Ｎ’−ビス（２−アミノエチル）−１，３−プロパンジアミン、トリエチレンテトラミン、テトラエチレンペンタミン、ビス［３（トリメチルシリル）プロピル］アミン及びビス［３−（トリメトキシシリル）プロピル］アミンからなる群から選択され、
架橋が、ヘキサメチレンジイソシアネート、トリレンジイソシアネート、イソホロンジイソシアネート及び４，４’−メチレン−ビス（シクロヘキシルイソシアネート）からなる群から選択される少なくとも１つのイソシアネート基を有する化合物の添加により実施される請求項１記載の方法。
【請求項７】
前記錯化剤が、アンモニア、エチレンジアミン、トリエタノールアミン、エタノールアミン、１，３−ジアミノプロパン、チオ硫酸ナトリウム、チオイソシアネート、グリセロール、酒石酸ナトリウム、酒石酸カリウムナトリウム及びクエン酸ナトリウムからなる群から選択される、請求項１記載の方法。
【請求項８】
前記金属塩が、ハロゲン化銀、硫酸銀、硝酸銀、ハロゲン化銅、硫酸銅、硝酸銅、酢酸銅、ハロゲン化ニッケル、硫酸ニッケル、硝酸ニッケル及び酢酸ニッケルからなる群から選択され、前記金属塩が好ましくは硝酸銀、塩化銀又は硫酸銀である、請求項１記載の方法。
【請求項９】
前記還元剤が、グルコース、アスコルビン酸、水素化ホウ素ナトリウム、亜ジチオン酸ナトリウム、亜硫酸ナトリウム、ギ酸ナトリウム、ホルムアルデヒド及び亜リン酸水素ナトリウムからなる群から選択される、請求項１記載の方法。
【請求項１０】
前記ポリエステルが、ポリ（エチレンテレフタレート）、ポリ（ブチレンテレフタレート）及びそれらの混合物からなる群から選択される、請求項１記載の方法。
【請求項１１】
還元剤による処理のステップに続いて、前記ポリエステルが、還元剤、錯化剤及びポリマーからなる群から選択される物質により処理される、請求項１記載の方法。
【請求項１２】
第一級アミン、第二級アミン、チオール、スルフィド及びオレフィンからなる群から選択される、少なくとも１つの官能基を有する、少なくとも１つの化合物と、銀、銅及びニッケルからなる群から選択される金属層と、の縮合反応又は付加反応によって得られた架橋生成物の層を含んでなるポリエステルを含有する、コーティングされたポリエステル。
【請求項１３】
前記架橋生成物が、第一級アミン、第二級アミン、チオール、スルフィド及びオレフィンからなる群から選択される、少なくとも１つの官能基を有する、ポリケイ酸であって、好ましくは少なくとも１つの式（Ｉ）の化合物の縮合生成物
（Ｒ１Ｏ）ｘＭＲ４−ｘ    （Ｉ）
（式中、Ｒ１が１〜２０個の炭素原子を有する、好ましくは１〜１０個の炭素原子を有する、より好ましくは１〜８個の炭素原子を有する、更に好ましくは１個又は２個の炭素原子を有する分岐鎖状若しくは直鎖状アルキル基であって、
ｘが１〜３の数、好ましくは３であり、
ＭがＳｉであり、
ＲがＣＨ２ＣＨ２ＣＨ２ＮＨ２、ＣＨ２ＣＨ２ＣＨ２ＳＨ、ＣＨ＝ＣＨ２、（ＣＨ２）ｐＮＨ（ＣＨ２）ｎＮＨ（ＣＨ２）ｌＮＨ２及び（ＣＨ２）ｎＮＨｍ［（ＣＨ２）ｌＮＨ２］ｋからなる群から選択され、
ｐが１〜７の整数、好ましくは２又は３であり、
ｎが１〜７の整数、好ましくは２又は３であり、
ｋが２である場合、ｍが０であり、
ｋが１である場合、ｍが１であり、
ｌが１〜７の整数、好ましくは２又は３である）
と、
銀による金属層と、を含んでなる、請求項１２記載のコーティングされたポリエステル。
【請求項１４】
前記架橋生成物が、好ましくは少なくとも１つの次式の化合物
Ｒ２ＮＨＲ３（ＩＩ）
（式中、Ｒ２がＨ２Ｎ（ＣＨ２）ｗ、Ｒ４３Ｓｉ（ＣＨ２）ｗ及びＨ２ＮＣ６Ｈ４からなる群から選択され、Ｒ３が［（ＣＨ２）ｘＮＨ］ｙ（ＣＨ２）ｚＮＨ２、Ｒ４３Ｓｉ（ＣＨ２）ｙ及びＨ２ＮＣ６Ｈ４ＮＨ（ＣＨ２）ｙからなる群から選択され、
ｗが１〜７の整数、好ましくは２又は３であり、
ｘが１〜７の整数、好ましくは２又は３であり、
ｙが０又は１〜７の整数、好ましくは０、１又は２であり、
ｚが１〜７の整数、好ましくは２又は３であり、
Ｒ４が１〜１０個の炭素原子を有する、好ましくは１〜８個の炭素原子を有する、より好ましくは１個又は２個の炭素原子を有する、分岐鎖状若しくは直鎖状アルキル基又は−Ｏ−アルキル基である）と、
ヘキサメチレンジイソシアネート、トリレンジイソシアネート、イソホロンジイソシアネート及び４，４’−メチレン−ビス（シクロヘキシルイソシアネート）からなる群から選択される化合物と、の付加生成物を含む尿素を含んでなる、請求項１２記載のコーティングされたポリエステル。
【請求項１５】
液体供給システム中の液体の抗菌処理への、又は、靴下、インソール、衣類、家具用の椅子若しくはマットレスをカバーする織物の製造への、請求項１２記載のポリエステルの使用。